(57)【特許請求の範囲】
【請求項１】
他の通信端末に対して発呼または着呼可能なＩＰアドレスが付与されたエンドポイント端末を管理するゲートキーパー装置であって、エンドポイント端末の機種毎に処理パラメータが設定されている処理パラメータテーブルを備え、前記処理パラメータテーブルを参照して、着呼先のエンドポイント端末の機種または発呼元のエンドポイント端末の機種に対応した処理パラメータを前記エンドポイント端末に設定することを特徴とするゲートキーパー装置。
【請求項２】
他の通信端末に対して発呼または着呼可能なＩＰアドレスが付与されたエンドポイント端末であって、エンドポイント端末の機種毎に処理パラメータが設定されている処理パラメータテーブルを備え、前記処理パラメータテーブルを参照して、着呼先のエンドポイント端末の機種または発呼元のエンドポイント端末の機種に対応した処理パラメータを自らに設定することを特徴とするエンドポイント端末。
【請求項３】
請求項１に記載のゲートキーパー装置および請求項２に記載のエンドポイント端末を備えたことを特徴とする通信システム。
【発明の詳細な説明】
【０００１】
【発明の属する技術分野】
本発明は、通信経路や相手先装置に応じてエンドポイントにおける処理パラメータを変更可能なゲートキーパー装置およびエンドポイント端末に関する。
【０００２】
【従来の技術】
従来、Ｈ．３２３勧告に準拠した通信システムにおける音声の入出力レベルやエコーキャンセラーの有効／無効等の設定を示す処理パラメータについては、ＩＰ電話等のエンドポイント毎に設定されていた。例えば、エンドポイントがゲートウェイやネットワークを介して他のエンドポイントやＨ．３２３に準拠していない電話機等と通信を行う場合、発呼側のエンドポイントは予め設定されている処理パラメータに応じた音声信号を送信する。
【０００３】
【発明が解決しようとする課題】
しかしながら、現実の通信システムでは、通信端末として複数種類のエンドポイントが用いられており、かつ、通信経路によって使用可能な通信帯域が異なり、ゲートウェイ等の経由装置も多様であるため、従来のようにエンドポイントに設定された処理パラメータが一定だと相手先のエンドポイントまたは電話機の機種や通信経路によって音声レベルダイヤ（出入り音声信号のレベル差）等の通信状況に差が生じてしまう。
【０００４】
例えば、エンドポイントに設定されている音声入出力レベルや通信経路中の回線によっては、着呼側のユーザが聞く音声のボリュームが小さすぎたり大きすぎたりする場合があるため、どのような種類のエンドポイントを用いて通信を行っても着呼側でのボリュームが一定となるような通信システムが望まれていた。また、エコーキャンセラーのような設定も音声に直接影響を与え、通信経路ごとの通信遅延時間次第では着呼側での音声が不自然な感じになる場合も発生し得るため、通信経路に合わせて音声処理等に関する各処理パラメータを設定可能な通信システムが望まれていた。
【０００５】
本発明は、上記従来の要望に鑑みてなされたものであって、エンドポイントや通信経路に応じてより良い通信を行うことのできるゲートキーパー装置およびエンドポイント端末を提供することを目的としている。
【０００６】
【課題を解決するための手段】
上記目的を達成するために、本発明に係るゲートキーパー装置は、他の通信端末に対して発呼または着呼可能なＩＰアドレスが付与されたエンドポイント端末を管理するゲートキーパー装置であって、エンドポイント端末の機種毎に処理パラメータが設定されている処理パラメータテーブルを備え、前記処理パラメータテーブルを参照して、着呼先のエンドポイント端末の機種または発呼元のエンドポイント端末の機種に対応した処理パラメータを前記エンドポイント端末に設定する。したがって、処理パラメータテーブルにエンドポイント端末の機種に基づいて各処理パラメータが最適に設定されていれば、発着呼したエンドポイント端末の機種に最適な処理パラメータが当該エンドポイント端末に設定されることとなるため、発着呼したエンドポイント端末は、エンドポイント端末の機種に応じてより良い通信を行うことができる。
【００１１】
また、本発明に係るエンドポイント端末は、他の通信端末に対して発呼または着呼可能なＩＰアドレスが付与されたエンドポイント端末であって、エンドポイント端末の機種毎に処理パラメータが設定されている処理パラメータテーブルを備え、前記処理パラメータテーブルを参照して、着呼先のエンドポイント端末の機種または発呼元のエンドポイント端末の機種に対応した処理パラメータを自らに設定する。したがって、処理パラメータテーブルにエンドポイント端末の機種に基づいて各処理パラメータが最適に設定されていれば、発着呼したエンドポイント端末の機種に最適な処理パラメータが当該エンドポイント端末に設定されることとなるため、発着呼したエンドポイント端末は、エンドポイント端末の機種に応じてより良い通信を行うことができる。
【００１２】
さらに、本発明に係る通信システムは、請求項１に記載のゲートキーパー装置および請求項２に記載のエンドポイント端末を備えている。
【００１３】
【発明の実施の形態】
以下、本発明に係るゲートキーパー装置およびエンドポイント端末の実施の形態について、〔第１の実施形態〕、〔第２の実施形態〕、〔第３の実施形態〕の順に図面を参照して詳細に説明する。なお、各実施形態のゲートキーパー装置およびエンドポイント端末は通信システムを構成し、以下の実施形態では通信システム全体を説明する中で、本発明に係るゲートキーパー装置およびエンドポイント端末の一形態について説明する。
【００１４】
〔第１の実施形態〕
図１は、本発明の第１の実施形態に係る通信システムを示す構成図である。同図において、本実施形態の通信システムは、特許請求の範囲のエンドポイント端末に該当するエンドポイント１０１と、ゲートキーパー装置に該当するゲートキーパー１０３と、ＩＰネットワーク１０５とを備えて構成されている。
【００１５】
以下、本実施形態の通信システムが有する各構成要素について説明する。
まず、エンドポイント１０１は、ＩＰ電話やマルチメディア通信装置に代表されるＨ．３２３勧告に準拠した通信端末であって、各エンドポイントにはＩＰアドレスが付与されている。また、ゲートキーパー１０３は、Ｈ．３２３のプロトコルに基づいてエンドポイント１０１からの発着呼を制御するものであり、電話番号をＩＰアドレスに変換するといった機能も有している。
【００１６】
本実施形態において、ゲートキーパー１０３は、書き換え可能な処理パラメータテーブル１０７を有する。処理パラメータテーブル１０７の一例を図２に示す。同図に示すように、処理パラメータテーブル１０７には、上位所定ビットが共通するＩＰアドレスを１グループとし、グループ毎に入力レベルや出力レベル、エコーキャンセラーの有効／無効等といった処理パラメータが設定されている。なお、当該処理パラメータテーブル１０７に設定されているグループのいずれにも属さないＩＰアドレスは、図２で「標準設定」と表されたグループに属する。当該グループには標準的な処理パラメータが設定されている。
【００１７】
なお、各グループには、ＩＰアドレスの上位何ビットを参照するかといったマスク情報が設けられている。例えば、図２に示した例では、上位１６ビットが"133.184"のＩＰアドレスを有するエンドポイントがグループ１に属するようマスク情報は「１６ビット」に設定されている。同様に、上位２４ビットが"133.185.76"のＩＰアドレスを有するエンドポイントがグループ２に属するようマスク情報は「２４ビット」に設定されている。
【００１８】
次に、本実施形態の通信システムにおいて、エンドポイントから発着呼があった場合の動作について説明する。
まず、ＩＰネットワーク１０５を経由して外部から着呼があった場合、着呼側のゲートキーパーは発呼側のゲートキーパーとＨ．２２５プロトコルに基づくシグナリング手順を実行する。当該シグナリング手順によって着呼側のゲートキーパーが得ることのできるデータには着呼先のエンドポイントのＩＰアドレスが含まれているため、着呼側のゲートキーパーは、処理パラメータテーブル１０７を参照して当該ＩＰアドレスが属するグループを判別し、当該判別したグループに設定されている処理パラメータを着呼先のエンドポイントに設定する。
【００１９】
例えば、ＩＰアドレス"133.184.1.1"のエンドポイントに対する着呼があった場合、当該着呼先のエンドポイントを管理するゲートキーパーは、このエンドポイントがグループ１に属すると判断し、グループ１に設定されている処理パラメータを着呼先のエンドポイントに設定する。すなわち、着呼先のエンドポイントは、入力レベルを０ｄＢ、出力レベルを＋１２ｄＢ、エコーキャンセラ−を有効として音声信号の処理を行う。
【００２０】
一方、ＩＰネットワーク１０５を経由して外部のエンドポイントに対して発呼する場合、発呼側のゲートキーパーは発呼元のエンドポイントとＨ．２２５プロトコルに基づくシグナリング手順を実行する。当該シグナリング手順によって発呼側のゲートキーパーが得ることのできるデータには発呼元のエンドポイントのＩＰアドレスが含まれているため、発呼側のゲートキーパーは、処理パラメータテーブル１０７を参照して当該ＩＰアドレスが属するグループを判別し、当該判別したグループに設定されている処理パラメータを発呼元のエンドポイントに設定する。
【００２１】
例えば、ＩＰアドレス"133.185.76.1"のエンドポイントからの発呼があった場合、当該発呼元のエンドポイントを管理するゲートキーパーは、このエンドポイントがグループ２に属すると判断し、グループ２に設定されている処理パラメータを発呼元のエンドポイントに設定する。すなわち、発呼元のエンドポイントは、入力レベルを＋４ｄＢ、出力レベルを＋１２ｄＢ、エコーキャンセラ−を無効として音声信号の処理を行う。
【００２２】
以上説明したように、本実施形態の通信システムによれば、ゲートキーパー１０３が処理パラメータテーブル１０７を有し、当該処理パラメータテーブル１０７は、エンドポイント１０１のＩＰアドレスに応じたグループ分けされ、グループ毎に処理パラメータが設定されている。各ゲートキーパー１０３に設定されている処理パラメータテーブル１０７には各エンドポイントの性能や通信経路等に基づいて各処理パラメータが最適に設定されているという前提の元、ゲートキーパー１０３が、発着呼したエンドポイント１０１のＩＰアドレスに応じた処理パラメータを当該エンドポイント１０１に設定するため、発着呼したエンドポイントはより良い通信を行うことができる。例えば、入出力レベルが最適であれば最適なボリュームで通話を行うことができ、また、エコーキャンセラーの設定が最適であれば自然な感じの通話を行うことができる。
【００２３】
なお、本実施形態の通信システムは、従来から用いられているＨ．３２３に準拠しない電話機や交換機を備えても良い。この場合、従来の電話機からエンドポイントに対して発呼があると、着呼側のゲートキーパーは着呼先のエンドポイントに対して処理パラメータを設定し、エンドポイントから従来の電話機に対して発呼があると、発呼側のゲートキーパーは発呼元のエンドポイントに対して処理パラメータを設定する。このように、一方の通信端末に対してのみ処理パラメータの設定が行われることになるが、このような場合であっても、上記効果を奏することができる。
【００２４】
また、上記説明では、処理パラメータテーブル１０７はゲートキーパー１０３が有するものと説明されているが、それぞれ別体として存在しても良い。この場合、処理パラメータテーブル１０７は、記憶媒体に格納されており、ゲートキーパー１０３は当該記憶媒体に対して読み出し／書き込み可能である。
【００２５】
〔第２の実施形態〕
図３は、本発明の第２の実施形態に係る通信システムを示す構成図である。同図において、本実施形態の通信システムは、特許請求の範囲のエンドポイント端末に該当するエンドポイント２０１と、ゲートキーパー装置に該当するゲートキーパー２０３と、ＩＰネットワーク１０５とを備えて構成されている。
【００２６】
以下、本実施形態の通信システムが有する各構成要素について説明する。
まず、エンドポイント２０１は、ＩＰ電話やマルチメディア通信装置に代表されるＨ．３２３勧告に準拠した通信端末であって、各エンドポイントにはＩＰアドレスが付与されている。また、ゲートキーパー２０３は、Ｈ．３２３のプロトコルに基づいてエンドポイント２０１からの発着呼を制御するものであり、電話番号をＩＰアドレスに変換するといった機能も有している。
【００２７】
本実施形態では、図２に示した処理パラメータテーブル１０７がゲートキーパー２０３にではなく各エンドポイント２０１に設けられている。エンドポイントから発着呼があった場合、第１の実施形態ではゲートキーパーがＩＰアドレスに応じてエンドポイントに対して処理パラメータの設定を行っていたが、本実施形態では、エンドポイント２０１が処理パラメータテーブル１０７を参照して処理パラメータを自らに設定している。
【００２８】
このように、各エンドポイント２０１に設定されている処理パラメータテーブル１０７には各エンドポイントの性能や通信経路等に基づいて各処理パラメータが最適に設定されているという前提の上、エンドポイント２０１が、発着呼したエンドポイント２０１のＩＰアドレスに応じた処理パラメータを自らに設定するため、発着呼したエンドポイントはより良い通信を行うことができる。なお、ゲートキーパー２０３におけるシグナリング手順に関しては第１の実施形態と同様である。また、第１の実施形態と同様に、通信システムがＨ．３２３に準拠しない電話機や交換機を備えても良い。
【００２９】
〔第３の実施形態〕
第３の実施形態の通信システムの構成は、第１の実施形態の通信システムまたは第２の実施形態の通信システムの構成と同様である。但し、本実施形態の処理パラメータテーブルは、エンドポイントの機種毎に処理パラメータが設定されている。図４に、第３の実施形態の処理パラメータテーブルの一例を示す。同図に示すように、本実施形態の処理パラメータテーブル３０７には、色違い機種等をまとめた機種を１グループとし、グループ毎に入力レベルや出力レベル、エコーキャンセラーの有効／無効といった処理パラメータが設定されている。なお、当該処理パラメータテーブル３０７に設定されているグループのいずれにも属さない機種は、図４で「標準設定」と表されたグループに属する。当該グループには標準的な処理パラメータが設定されている。
【００３０】
本実施形態の通信システムにおいて、エンドポイントから発着呼があった場合、ゲートキーパーは第１の実施形態や第２の実施形態と同様に、Ｈ．２２５プロトコルに基づくシグナリング手順を実行するが、当該シグナリング手順によってゲートキーパーが得ることのできるデータには着呼先または発呼元のエンドポイントの機種情報が含まれている。したがって、ゲートキーパーは処理パラメータテーブル３０７を参照して当該機種情報に対応する処理パラメータをエンドポイントに設定する。
【００３１】
したがって、エンドポイントの機種に基づいて各処理パラメータが最適に設定されているという前提の元、発着呼したエンドポイントの機種に応じた処理パラメータを当該エンドポイントに設定するため、発着呼したエンドポイントはより良い通信を行うことができる。例えば、入出力レベルが最適であれば最適なボリュームで通話を行うことができ、また、エコーキャンセラーの設定が最適であれば自然な感じの通話を行うことができる。
【００３２】
【発明の効果】
以上説明したように、本発明に係るゲートキーパー装置およびエンドポイント端末によれば、処理パラメータテーブルにエンドポイント端末の機種に基づいて各処理パラメータが最適に設定されていれば、発着呼したエンドポイント端末の機種に最適な処理パラメータが当該エンドポイント端末に設定されることとなるため、発着呼したエンドポイント端末は、エンドポイント端末の機種に応じてより良い通信を行うことができる。
【図面の簡単な説明】
【図１】本発明の第１の実施形態に係る通信システムを示す構成図
【図２】第１の実施形態または第２の実施形態の処理パラメータテーブルの一例を示す説明図
【図３】本発明の第２の実施形態に係る通信システムを示す構成図
【図４】第３の実施形態の処理パラメータテーブルの一例を示す説明図
【符号の説明】
１０１，２０１  エンドポイント
１０３，２０３  ゲートキーパー
１０５  ＩＰネットワーク
１０７，３０７  処理パラメータテーブル
【図１】
0003852586.tif 000002
【図２】
0003852586.tif 000003
【図３】
0003852586.tif 000004
【図４】
0003852586.tif 000005